(57)【要約】【課題】開放用押しボタン３０の操作を保障しつつ、雨水がプリンターハウジング２内部に侵入しにくくして、印字ヘッド（サーマルヘッド２３）および電子基板などの部品について水による故障を回避可能としたプリンターの開放用押しボタン機構を提供すること。【解決手段】開放用押しボタン３０の周縁部に防水用密着面３５を形成することに着目し、印字用紙（ラベル連続体４）に印字可能な印字ヘッド２３と、印字ヘッド２３との間に印字用紙４を挟持するプラテンローラー２４と、プラテンローラー２４および印字ヘッド２３を互いに離反させるように操作する開放用押しボタン３０と、を有するプリンターの開放用押しボタン機構であって、開放用押しボタン３０の周縁部に防水用密着面３５を形成して、防水用密着面３５がプリンターハウジングの内壁面２Ａに密着させるように開放用押しボタン３０を付勢可能としていることを特徴とする。【選択図】図４
2014188707.tif 000002
【特許請求の範囲】
【請求項１】
プリンターハウジングと、
このプリンターハウジングに装填される印字用紙に印字可能な印字ヘッドと、
この印字ヘッドとの間に前記印字用紙を挟持して回転することにより前記印字用紙を移送可能なプラテンローラーと、
このプラテンローラーおよび前記印字ヘッドを互いに離反させるように操作する開放用押しボタンと、を有するプリンターの開放用押しボタン機構であって、
前記プリンターハウジングに対して前記開放用押しボタンを操作可能に設けるとともに、
前記開放用押しボタンの周縁部に防水用密着面を形成して、この防水用密着面が前記プリンターハウジングの内壁面に密着させるように前記開放用押しボタンを付勢可能としていることを特徴とするプリンターの開放用押しボタン機構。
【請求項２】
前記印字ヘッドを前記プラテンローラーに押し付けるヘッド付勢スプリングを設け、
このヘッド付勢スプリングの付勢力に抗して前記開放用押しボタンを前記プリンターハウジングに対して操作することにより、前記印字ヘッドおよび前記プラテンローラーを互いに離反可能としていることを特徴とする請求項１記載のプリンターの開放用押しボタン機構。
【請求項３】
前記印字ヘッドは、これを前記プリンターハウジングに取り付けるとともに、前記プラテンローラーは、前記プリンターハウジングに開閉可能に設けた開閉カバーにこれを回転可能に取り付け、
前記開放用押しボタンの操作によりこの開閉カバーを前記プリンターハウジングに対して開放して前記印字ヘッドから前記プラテンローラーを離反させることを特徴とする請求項１または２記載のプリンターの開放用押しボタン機構。
【請求項４】
前記防水用密着面は、前記開放用押しボタンのボタン本体より相対的に前記プリンターハウジングの内方側に、これを形成していることを特徴とする請求項１ないし３のいずれかに記載のプリンターの開放用押しボタン機構。
【請求項５】
前記開放用押しボタンの前記防水用密着面を前記プリンターハウジングの前記内壁面に付勢するボタン付勢スプリングを設け、
このボタン付勢スプリングは、これを前記開放用押しボタンの端部に蛇行させて形成していることを特徴とする請求項１ないし４のいずれかに記載のプリンターの開放用押しボタン機構。
【請求項６】
前記開放用押しボタンを前記プリンターハウジングに対して回動可能に設けるとともに、
前記開放用押しボタンのボタン軸は、前記ボタン付勢スプリングと前記防水用密着面との間に位置してこれを設けていることを特徴とする請求項５記載のプリンターの開放用押しボタン機構。
【請求項７】
当該プリンターは、前記印字ヘッドが前記プラテンローラーより上方に位置するようにこれを携帯可能であるとともに、
前記開放用押しボタンの下方側先端部は、前記開閉カバーより外方側に位置していることを特徴とする請求項３ないし６のいずれかに記載のプリンターの開放用押しボタン機構。
【請求項８】
前記開放用押しボタンの前記下方側先端部は、前記印字ヘッドおよび前記プラテンローラーとの間から印字発行されてくる前記印字用紙に対向可能であることを特徴とする請求項７記載のプリンターの開放用押しボタン機構。
【発明の詳細な説明】
【技術分野】
【０００１】
本発明はプリンターの開放用押しボタン機構にかかるもので、とくに印字ヘッド部分に外部から水が侵入することを防止可能としたプリンターの開放用押しボタン機構に関するものである。
【背景技術】
【０００２】
従来から、卓上型プリンターや携帯式プリンターなど各種のプリンターに帯状のラベル連続体その他の印字用紙を装填するために、開閉カバーなどを開放して、そのプリンターハウジング内に印字用紙を収納する必要がある。
この開閉カバーなどの開放のために操作する開放用押しボタンとプリンターハウジングとの間のわずかな隙間からプリンターハウジング内部に水が侵入し、印字ヘッドはもちろん電子基板などの故障の原因となるという問題がある。
【０００３】
しかしながら、開放用押しボタンの機械的操作のためには、上記わずかな隙間を空けておくことが必要であり、とくに屋外に携帯して使用する携帯式プリンターについては、その防水機能を確保しておく必要があるという問題がある。
また、卓上型プリンターあるいは携帯式プリンターに限らず、開放用押しボタン部分の構成を簡略小型化することが要請されている。
【先行技術文献】
【特許文献】
【０００４】
【特許文献１】特開２００６−１５０８５８号公報
【発明の概要】
【発明が解決しようとする課題】
【０００５】
本発明は以上のような諸問題にかんがみなされたもので、雨水その他の水ないしは液体がプリンターハウジング内部に侵入しにくくしたプリンターの開放用押しボタン機構を提供することを課題とする。
【０００６】
また本発明は、とくに印字ヘッドおよび電子基板などの部品について水による故障を回避可能としたプリンターの開放用押しボタン機構を提供することを課題とする。
【０００７】
また本発明は、開放用押しボタンの操作を保障しつつ、その構成を簡略小型化するとともに、この部分からの水の侵入を防止可能としたプリンターの開放用押しボタン機構を提供することを課題とする。
【課題を解決するための手段】
【０００８】
すなわち本発明は、開放用押しボタンの周縁部に防水用密着面を形成することに着目したもので、プリンターハウジングと、このプリンターハウジングに装填される印字用紙に印字可能な印字ヘッドと、この印字ヘッドとの間に上記印字用紙を挟持して回転することにより上記印字用紙を移送可能なプラテンローラーと、このプラテンローラーおよび上記印字ヘッドを互いに離反させるように操作する開放用押しボタンと、を有するプリンターの開放用押しボタン機構であって、上記プリンターハウジングに対して上記開放用押しボタンを操作可能に設けるとともに、上記開放用押しボタンの周縁部に防水用密着面を形成して、この防水用密着面が上記プリンターハウジングの内壁面に密着させるように上記開放用押しボタンを付勢可能としていることを特徴とするプリンターの開放用押しボタン機構である。
【０００９】
上記印字ヘッドを上記プラテンローラーに押し付けるヘッド付勢スプリングを設け、このヘッド付勢スプリングの付勢力に抗して上記開放用押しボタンを上記プリンターハウジングに対して操作することにより、上記印字ヘッドおよび上記プラテンローラーを互いに離反可能としていることができる。
【００１０】
上記印字ヘッドは、これを上記プリンターハウジングに取り付けるとともに、上記プラテンローラーは、上記プリンターハウジングに開閉可能に設けた開閉カバーにこれを回転可能に取り付け、上記開放用押しボタンの操作によりこの開閉カバーを上記プリンターハウジングに対して開放して上記印字ヘッドから上記プラテンローラーを離反させることができる。
【００１１】
上記防水用密着面は、上記開放用押しボタンのボタン本体より相対的に上記プリンターハウジングの内方側に、これを形成していることができる。
【００１２】
上記開放用押しボタンの上記防水用密着面を上記プリンターハウジングの上記内壁面に付勢するボタン付勢スプリングを設け、このボタン付勢スプリングは、これを上記開放用押しボタンの端部に蛇行させて形成していることができる。
【００１３】
上記開放用押しボタンを上記プリンターハウジングに対して回動可能に設けるとともに、上記開放用押しボタンのボタン軸は、上記ボタン付勢スプリングと上記防水用密着面との間に位置してこれを設けていることができる。
【００１４】
当該プリンターは、上記印字ヘッドが上記プラテンローラーより上方に位置するようにこれを携帯可能であるとともに、上記開放用押しボタンの下方側先端部は、上記開閉カバーより外方側に位置していることができる。
【００１５】
上記開放用押しボタンの上記下方側先端部は、上記印字ヘッドおよび上記プラテンローラーとの間から印字発行されてくる上記印字用紙に対向可能であることができる。
【発明の効果】
【００１６】
本発明によるプリンターの開放用押しボタン機構においては、プリンターハウジングに対して操作する開放用押しボタンの周縁部に防水用密着面を形成するとともに、この防水用密着面がプリンターハウジングの内壁面に密着するように付勢する構成としたので、開放用押しボタンの操作は確保しつつ、このまわりからプリンターハウジング内部への水などの侵入を防止し、とくに印字部や電子基板などの故障を回避可能である。
【図面の簡単な説明】
【００１７】
【図１】本発明の実施例による開放用押しボタン機構１５を装備した携帯式プリンター１の斜視図である。
【図２】同、携帯式プリンター１の開閉カバー３をプリンターハウジング２に対して開放した状態の斜視図である。
【図３】同、携帯式プリンター１の概略縦断面図である。
【図４】同、開放用押しボタン３０（開放用押しボタン機構１５）部分の要部断面図である。
【図５】同、開放用押しボタン３０の斜視図である。
【発明を実施するための形態】
【００１８】
本発明は、開放用押しボタンの周縁部に防水用密着面を形成するとともに、この防水用密着面をプリンターハウジングの内壁面に密着させるようにしたので、開放用押しボタンの操作は確保しつつ、このまわりからの水などの侵入を防止可能なプリンターの開放用押しボタン機構を実現した。
【実施例】
【００１９】
つぎに本発明の実施例によるプリンターの開放用押しボタン機構を図１ないし図５にもとづき説明する。
図１は、上記プリンターたとえば携帯式プリンター１の斜視図であって、携帯式プリンター１は、サーマルプリンターとしてこれを構成してあり、プリンターハウジング２と、開閉カバー３と、を有する。
図２は、携帯式プリンター１の開閉カバー３をプリンターハウジング２に対して開放した状態の斜視図、図３は、携帯式プリンター１の概略縦断面図であって、とくに図３に示すように、携帯式プリンター１はさらに、ラベル連続体４（印字用紙）の供給部５と、位置検出部６と、印字部７と、充電バッテリー８のバッテリー収納室９と、アダプター接続端子１０と、入力部１１と、表示部１２と、制御部１３と、電源スイッチ１４と、開放用押しボタン機構１５と、を有する。
【００２０】
プリンターハウジング２は、作業者が携帯可能な大きさを有し、図３中、上方にベルト掛け部１６を設けて、肩掛けベルト１７により携帯式プリンター１全体を作業者の肩から吊り下げ可能としている。もちろん、作業者の腰に装着可能とする構成とすることもできる。
さらにプリンターハウジング２には、図３中、下方隅部に位置したカバー軸１８のまわりに上記開閉カバー３を開閉可能に設けて、供給部５へのラベル連続体４の収納および携帯式プリンター１への装填を可能としている。
【００２１】
ラベル連続体４は、帯状の台紙１９上に複数枚のラベル片２０を仮着した構成である。ラベル片２０は、いわゆるサーマルラベルであって、その表面に感熱発色層を塗工して、印字可能としてある。
供給部５は、ラベル連続体４をロール状に巻いてその内部に収納し、位置検出部６および印字部７方向に帯状に繰り出し可能としている。
なお、台紙１９の裏面側には、所定ピッチで位置検出用マーク２１をあらかじめ印刷してある。
【００２２】
位置検出部６は、開閉カバー３側に取り付けた位置検出センサー２２を有し、ラベル連続体４の裏面側に位置する位置検出用マーク２１を検出して印字部７に対するラベル連続体４（ラベル片２０）の相対位置を検出可能とする。
【００２３】
印字部７は、プリンターハウジング２側に取り付けたサーマルヘッド２３（印字ヘッド）と、開閉カバー３側に取り付けたプラテンローラー２４と、サーマルヘッド２３をプラテンローラー２４方向に付勢するヘッド付勢スプリング２５と、駆動モーター２６と、を有する。
プラテンローラー２４のプラテンローラー軸２７の一方側端部にはプラテンローラーギア２８を設けるとともに、駆動モーター２６の回転を伝達するための連結ギア２９を設け、開閉カバー３のプリンターハウジング２への閉鎖により、プラテンローラーギア２８と連結ギア２９とを係合させて、駆動モーター２６によりプラテンローラー２４を回転駆動可能としている。
【００２４】
すなわち、サーマルヘッド２３およびプラテンローラー２４の間にラベル連続体４を挟持して、駆動モーター２６によりプラテンローラー２４を回転駆動するとともに、制御部１３からサーマルヘッド２３に供給した印字データに応じてサーマルヘッド２３の発熱素子（図示せず）を発熱させ、ラベル連続体４（ラベル片２０）にサーマル印字を行う。
【００２５】
プリンターハウジング２には開放用押しボタン３０を設け、開放用押しボタン３０をプリンターハウジング２の内方に押し込むように操作することにより、ヘッド付勢スプリング２５の付勢力に抗して、サーマルヘッド２３をそのヘッド軸３１のまわりに図３中、反時計方向に回動させてプラテンローラー２４をサーマルヘッド２３から離反させ、サーマルヘッド２３およびプラテンローラー２４の間にラベル連続体４を挿通装填可能とする。
既述のように、開閉カバー３にはプラテンローラー２４および位置検出センサー２２を取り付けてあり、開閉カバー３のプリンターハウジング２からの開放回動にともなってサーマルヘッド２３から離反する。
【００２６】
充電バッテリー８は、バッテリー収納室９に収脱可能であって、上述の印字部７（サーマルヘッド２３および駆動モーター２６など）はもちろん、携帯式プリンター１全体に電力を供給する。
【００２７】
アダプター接続端子１０は、プリンターハウジング２にこれを設け、外部電源（図示せず）に接続して充電バッテリー８に充電するためのＡＣアダプター３２を接続する。
【００２８】
入力部１１は、携帯式プリンター１に必要なデータないしコマンドを入力可能とする。
表示部１２は、入力部１１により入力された情報およびその他必要な情報を表示可能とする。
【００２９】
制御部１３は、電子基板などにこれを設けてあり、上述の位置検出部６、印字部７、充電バッテリー８、アダプター接続端子１０、入力部１１、表示部１２および電源スイッチ１４との間でデータおよびコマンドの授受を行うとともに、これらを適宜制御する。
【００３０】
なお、携帯式プリンター１においては、落下などによる衝撃に対する耐性を確保するために、とくにプリンターハウジング２の表面側に位置している入力部１１、表示部１２、電源スイッチ１４、開放用押しボタン機構１５（開放用押しボタン３０）、開閉カバー３などを配置している領域面をプリンターハウジング２の他の領域面（図示の例では、プリンターハウジング２の稜縁部）から凹ませるとともに、当該他の領域面にエラストマーその他の衝撃吸収性材料によるクッション材３３を設けている。
また、直方体形状のプリンターハウジング２における他の稜縁部にも同様に、クッション材３３を設けて携帯式プリンター１全体の耐衝撃性を確保している。
【００３１】
本実施例にかかる開放用押しボタン機構１５は、上述した開放用押しボタン３０の部分にこれを設けている。
図４は、開放用押しボタン３０（開放用押しボタン機構１５）部分の要部断面図、図５は、開放用押しボタン３０の斜視図であって、開放用押しボタン機構１５において、開放用押しボタン３０は、ボタン本体３４と、ボタン本体３４の周縁部の全周をめぐってこれに形成した防水用密着面３５と、ボタン本体３４に一体に形成したそのボタン軸３６および弾性体としてのボタン付勢スプリング３７と、ボタン本体３４の裏面側に突出形成した押込み用突出部３８（図４）と、を有する。
【００３２】
ボタン本体３４は、図１および図２に示したようにプリンターハウジング２の表面側に露出する部分であって、携帯式プリンター１を使用する作業者がプリンターハウジング２の内方（図４中、右方から左方）に向かって押し込む部分である。
【００３３】
防水用密着面３５は、ボタン本体３４より相対的にプリンターハウジング２の内方側に凹んだ状態でこれを形成してプリンターハウジング２の内側に入り込むことができるとともに、プリンターハウジング２の内壁面２Ａに密着可能な平面領域である。
ただし、防水用密着面３５は、とくに図５および図２（点線）に示すように、サーマルヘッド２３の長さ方向（ラベル連続体４の幅方向）に沿ってより長く庇のように延びており、サーマルヘッド２３の発熱素子２３Ａ（図４）のすべてを覆うことができるようにしている。
【００３４】
左右一対のボタン軸３６は、プリンターハウジング２の内部ブラケット（図示せず）にこれを軸着し、ボタン本体３４の押込み操作により、開放用押しボタン３０全体を回動可能としている。
【００３５】
左右一対のボタン付勢スプリング３７は、防水用密着面３５と同一平面内で蛇行させて開放用押しボタン３０の端部にこれを形成しており、ボタン本体３４からボタン軸３６をこえた部位に位置するそれぞれの端部に当接軸部３９を起立させている。
とくに図４に示すように、それぞれの当接軸部３９がプリンターハウジング２の内壁面２Ａに当接して、左右一対のボタン付勢スプリング３７が撓むことにより、その付勢力を発揮して開放用押しボタン３０の防水用密着面３５をプリンターハウジング２の内壁面２Ａに密着可能とする。
換言すれば、開放用押しボタン３０のボタン軸３６は、ボタン付勢スプリング３７と防水用密着面３５との間に位置してこれを設けて、防水用密着面３５がプリンターハウジング２の内壁面２Ａに密着させるように、ボタン付勢スプリング３７が開放用押しボタン３０を付勢可能としている。
なおボタン付勢スプリング３７を蛇行して形成することにより、所定の付勢力を得るための必要な長さを狭い空間内で得ることが可能となり、かつ、ボタン本体３４と一体形成することにより、とくに小型軽量に製造する必要があるこの種の携帯式プリンター１に有利である。
【００３６】
図４（１）、（２）、（３）は、開放用押しボタン３０のボタン本体３４およびボタン付勢スプリング３７を模式的に描いた平面説明図である。ただし、ボタン付勢スプリング３７の可撓性は、それぞれ同程度とする。
図４（１）は、ボタン付勢スプリング３７の当接軸部３９がプリンターハウジング２の内壁面２Ａに当接する場合の説明図であって、ボタン付勢スプリング３７による付勢力は、後述する図４（２）および図４（３）の場合よりも小さい。
図４（２）は、ボタン付勢スプリング３７に当接軸部３９を形成せずに、そのスプリング先端部分３７Ａ（図中、ハッチングで示している部分）がプリンターハウジング２の内壁面２Ａに当接する場合（あるいは、ボタン付勢スプリング３７に当接軸部３９を形成してもプリンターハウジング２の内壁面２Ａに係合凹部（図示せず）を形成して、当接軸部３９がこの係合凹部に係合する場合）の説明図であって、ボタン付勢スプリング３７による付勢力は、中程度である（図４（１）の場合よりも強く、図４（３）の場合よりも弱い）。
図４（３）は、ボタン付勢スプリング３７に当接軸部３９を形成せずに、ボタン付勢スプリング３７全体（図中、ハッチングで示している部分）がプリンターハウジング２の内壁面２Ａに当接する場合の説明図であって、ボタン付勢スプリング３７による付勢力は、図４（２）および図４（３）の場合よりも大きい。
すなわち、プリンターハウジング２の内壁面２Ａに対するボタン付勢スプリング３７の付勢態勢ないしは当接領域を選択することにより、防水用密着面３５に要請される防水機能の程度に応じて必要な付勢力を適宜設計することができる。
【００３７】
とくに図４に示すように、開放用押しボタン３０の裏面側（プリンターハウジング２の内方側）には、前記サーマルヘッド２３を保持しているカバーロック４０を前記ヘッド軸３１のまわりに回動可能に設けている。
カバーロック４０には、その上縁部中央に位置して、押込み用突出部３８に対向する部位に当接傾斜プレート４１を一体形成して設けるとともに、サーマルヘッド２３を介して反対側に断面ほぼ半円弧状の左右一対のプラテンローラーロック係合部４２を形成している。
プラテンローラーロック係合部４２にはプラテンローラー２４の左右一対のロックピン４３（図２）が係脱可能である。ロックピン４３がプラテンローラーロック係合部４２に係合した状態で、プラテンローラー２４がサーマルヘッド２３に所定押圧力（印字圧力）で当接可能であり、その間に挟持するラベル連続体４への印字が可能な状態となる。
【００３８】
ボタン本体３４の裏面側に位置する押込み用突出部３８は、このカバーロック４０の当接傾斜プレート４１に対向しており、ボタン付勢スプリング３７の付勢力に抗したボタン軸３６まわりの開放用押しボタン３０の図４中、時計方向の回動により、押込み用突出部３８が当接傾斜プレート４１を押圧し、さらにヘッド付勢スプリング２５の付勢力に抗してヘッド軸３１まわりにカバーロック４０をサーマルヘッド２３とともに図４中、反時計方向に回動させる。
したがって、プラテンローラー２４のロックピン４３がカバーロック４０のプラテンローラーロック係合部４２から離脱した状態となり、サーマルヘッド２３およびプラテンローラー２４とを互いに離反させ、その間にラベル連続体４を装填可能となる。
【００３９】
また、プラテンローラーロック係合部４２の上方端部には、テーパー面４４を形成してあり、開閉カバー３の閉鎖作動時にプラテンローラー２４のロックピン４３がテーパー面４４に当接したのち、プラテンローラーロック係合部４２に係合しやすくしている。
【００４０】
とくに図４に示すように、開放用押しボタン３０における防水用密着面３５の下方側先端部は、用紙切断用端部４５としてあり、用紙切断用端部４５がサーマルヘッド２３およびプラテンローラー２４の間から発行口４６に移送されてきたラベル連続体４に対向し、所定の部位でラベル連続体４（台紙１９、ラベル片２０）を切断可能である。
なお、開放用押しボタン３０（用紙切断用端部４５）の材料としては、ラベル連続体４その他の印字用紙の種類に応じて、一般的には所定の剛性および弾性を有する合成樹脂材料を採用することができる。
【００４１】
さらに、とくに図３に示すように、当該携帯式プリンター１は、サーマルヘッド２３がプラテンローラー２４より上方に位置するようにこれを携帯可能であるとともに、とくに図４に示すように、開放用押しボタン３０の下方側先端部（用紙切断用端部４５）は、開閉カバー３より外方側に位置している。
すなわち、用紙切断用端部４５が開閉カバー３の先端部の外表面より、わずかに（図４に示す間隔Ｄ）分だけ外方側に位置していることにより、雨天その他の時に開放用押しボタン３０を伝って水滴Ｗが用紙切断用端部４５に至っても、庇のように出ている用紙切断用端部４５から開閉カバー３に触れることなく地上に垂れ落ちるのみであり、プリンターハウジング２内に侵入するおそれは軽減されている。
【００４２】
こうした構成の携帯式プリンター１の開放用押しボタン機構１５において、図１に示す開閉カバー３の閉鎖状態から、図２に示す開閉カバー３の開放状態にするには、ボタン付勢スプリング３７（図２、図４）の付勢力に抗して開放用押しボタン３０をプリンターハウジング２の内方に押し込む。
開放用押しボタン３０の押込み操作により、押込み用突出部３８がカバーロック４０の当接傾斜プレート４１を、ヘッド付勢スプリング２５の付勢力に抗してヘッド軸３１まわりに図４中、反時計方向に回動させ、プラテンローラーロック係合部４２とロックピン４３との係合を解除してプラテンローラー２４を開閉カバー３とともに図２の開放状態とする。
この開放状態で供給部５内にロール状のラベル連続体４を収納し、開閉カバー３をプリンターハウジング２方向に閉鎖すればプラテンローラー２４のロックピン４３がカバーロック４０のテーパー面４４に当接する。ヘッド付勢スプリング２５の付勢力に抗して開閉カバー３（プラテンローラー２４）をさらに閉鎖方向に押し込めば、ロックピン４３がプラテンローラーロック係合部４２に係合するに至り、開閉カバー３を閉鎖し、またサーマルヘッド２３およびプラテンローラー２４を互いに押圧した状態とすることができる。
【００４３】
このような開閉カバー３の閉鎖状態においては、開放用押しボタン機構１５における開放用押しボタン３０は、そのボタン本体３４は外部に露出しているが、かつその開放操作自体は確保されているが、ボタン付勢スプリング３７の付勢力により防水用密着面３５がプリンターハウジング２の内壁面２Ａに所定押圧力で密着しているため、この部分からの水の侵入を防止可能である。
すなわち、開放用押しボタン３０の部分は、印字部７のサーマルヘッド２３さらには制御部１３に至る部分に隣り合っているため、上述した防水機能を開放用押しボタン機構１５が果たすことにより、印字部７や制御部１３の故障の頻度を低下して、屋外での携帯式プリンター１の使用にあたっても操作の安定性を確保可能である。
もちろん、卓上型プリンターその他のプリンターにも本発明による開放用押しボタン機構を採用することが可能である。
【符号の説明】
【００４４】
１  携帯式プリンター（プリンター、図１〜図３）
２  プリンターハウジング
２Ａ  プリンターハウジング２の内壁面（図４）
３  開閉カバー
４  ラベル連続体（印字用紙）
５  供給部
６  位置検出部
７  印字部
８  充電バッテリー
９  バッテリー収納室
１０  ＡＣアダプター３２を接続するアダプター接続端子
１１  入力部
１２  表示部
１３  制御部
１４  電源スイッチ
１５  携帯式プリンター１の開放用押しボタン機構（実施例、図４）
１６  ベルト掛け部
１７  肩掛けベルト
１８  開閉カバー３のカバー軸
１９  ラベル連続体４の台紙
２０  ラベル片
２１  位置検出用マーク
２２  位置検出センサー
２３  サーマルヘッド（印字ヘッド）
２３Ａ  サーマルヘッド２３の発熱素子（図４）
２４  プラテンローラー
２５  ヘッド付勢スプリング
２６  駆動モーター
２７  プラテンローラー２４のプラテンローラー軸
２８  プラテンローラー２４のプラテンローラーギア
２９  連結ギア
３０  開放用押しボタン
３１  サーマルヘッド２３のヘッド軸
３２  ＡＣアダプター
３３  エラストマーなどによるクッション材
３４  開放用押しボタン３０のボタン本体
３５  開放用押しボタン３０の防水用密着面
３６  開放用押しボタン３０のボタン軸
３７  開放用押しボタン３０のボタン付勢スプリング
３７Ａ  ボタン付勢スプリング３７のスプリング先端部分（図４（２））
３８  開放用押しボタン３０の押込み用突出部
３９  ボタン付勢スプリング３７の当接軸部
４０  カバーロック
４１  当接傾斜プレート
４２  プラテンローラーロック係合部
４３  プラテンローラー２４のロックピン
４４  テーパー面
４５  開放用押しボタン３０の用紙切断用端部（下方側先端部）
４６  印字済みのラベル連続体４の発行口
Ｄ    開放用押しボタン３０の用紙切断用端部４５と開閉カバー３の先端部の外表面との間の間隔（図４）
Ｗ    雨天その他の時に開放用押しボタン３０を伝って用紙切断用端部４５に至る水滴
【図１】
2014188707.tif 000003
【図２】
2014188707.tif 000004
【図３】
2014188707.tif 000005
【図４】
2014188707.tif 000006
【図５】
2014188707.tif 000007